(57)【要約】【課題】カメラの位置決めを確実に行うとともに、シールド性を確保できる電子機器を提供する。【解決手段】電子機器１０は、電子部品４０を覆うシールド部材４１を介してホルダ３６の凹部３７に収容される。このとき、シールド部材４１において凹部３７の内面３７１に対応する位置に設けられた開口４４，４５，４７から、凹部３７の内面３７１に設けられた凸部３８，３８１，３８２がシールド部材４１の内部に突出して電子部品４０に接触するので、電子部品４０はホルダ３６により直接位置決めされる。これにより、電子部品４０を確実にシールドできるとともに、位置決めできる。【選択図】図２
2012074510.tif 000002
【特許請求の範囲】
【請求項１】
ケースおよびカバーを有する筐体と、
前記カバーに保持される電子部品と、
前記電子部品を覆うシールド部材と、
前記シールド部材を介して前記電子部品を収容する凹部を有するホルダと、
前記シールド部材における前記凹部の内面に対応する位置に設けられた開口と、
前記凹部の前記内面に設けられ、前記シールドの開口を貫通し、前記電子部品の外側面に接触可能な凸部と、を備える電子機器。
【請求項２】
請求項１に記載の電子機器において、
前記電子部品の平面対角位置に対応する位置に、前記開口および前記凸部が設けられている電子機器。
【請求項３】
請求項１に記載の電子機器において、
前記開口は前記電子部品の角部に対応する位置に設けられ、
前記凸部は前記電子部品の角部を構成する複数の側面それぞれに接触可能となるよう構成されている電子機器。
【請求項４】
請求項１ないし請求項３のうちいずれか１項に記載の電子機器において、
前記シールド部材における互いに隣り合う前記内面同士を分断するスリットが設けられている電子機器。
【請求項５】
請求項４に記載の電子機器において、
前記開口は前記電子部品の角部に対応する位置に設けられ、
前記スリットは、前記開口と連続する電子機器。
【請求項６】
請求項１ないし請求項５のうちのいずれか１項に記載の電子機器において、
前記シールド部材が、互いに隣り合う前記内面にそれぞれ接続されて前記凹部の外側において前記内面に対して交差するように配置される複数の鍔部を有し、
前記各鍔部が互いに干渉しないように切欠部を有する電子機器。
【発明の詳細な説明】
【技術分野】
【０００１】
本発明は、カメラを有する携帯端末等の電子機器に関するものである。
【背景技術】
【０００２】
従来より、電子機器にカメラを搭載する際に、シールド部材によりシールドすることが行われている（例えば、特許文献１参照）。
特許文献１に記載の携帯端末装置１００は、可動側筐体１０１および可動側筐体１０１に取り付けられ液晶表示装置（図示省略）を保持するＬＣＤホルダ１０２を有し、可動側筐体１０１の内面で、ＬＣＤホルダ１０２の端部には、カメラユニット１０３が設けられている。
【０００３】
カメラユニット１０３は、カメラ本体１０４とカメラ保持枠体１０５とカメラシールド構造体１０６を有する。カメラ保持枠体１０５は、カメラ本体１０４の外周形状、サイズに合わせて形成された四角い枠状部材で、カメラ本体１０４の周囲を保護する。カメラシールド構造体１０６は、電気的導通性を有する銅板やステンレス板により形成されており、カメラ本体１０４を保持して装置側搭載部１０７に係止されるとともにカメラ本体１０４から放射される電磁ノイズをシールドする。
なお、カメラシールド構造体１０６は装置側搭載部１０７に取り付けられて位置決めされ、カメラ本体１０４はカメラシールド構造体１０６の内部に位置決めされることにより位置決めが行われている。
【先行技術文献】
【特許文献】
【０００４】
【特許文献１】特開２００７−１８０２１８号公報（第２図）
【発明の概要】
【発明が解決しようとする課題】
【０００５】
従って、前述した特許文献１に記載の携帯端末装置１００では、カメラ本体１０４の位置決めは、装置側搭載部１０７に取り付けられたカメラシールド構造体１０６により行われている。
しかしながら、カメラシールド構造体１０６は、金属板を絞り加工や切り起こしにより形成するのが一般的である。しかし、絞り加工には、寸法精度が低い、寸法調整が困難という問題があり、切り起こしには、位置決めするには強度が不足、切り起こし時のバリがカメラを傷つける等の問題がある。
特に、携帯端末装置１００の背面にカメラ本体１０４を取り付ける際には、目視しながら取り付けることができず、位置の確認が視認することなく行われるので、カメラシールド構造体１０６にはカメラ本体１０４の位置決めに必要な強度が要求される。
【０００６】
本発明は、従来の問題を解決するためになされたもので、カメラの位置決めを確実に行うとともに、シールド性を確保できる電子機器を提供することを目的とする。
【課題を解決するための手段】
【０００７】
本発明の第１の態様に係る電子機器は、ケースおよびカバーを有する筐体と、前記カバーに保持される電子部品と、前記電子部品を覆うシールド部材と、前記シールド部材を介して前記電子部品を収容する凹部を有するホルダと、前記シールド部材における前記凹部の内面に対応する位置に設けられた開口と、前記凹部の前記内面に設けられ、前記シールドの開口を貫通し、前記電子部品の外側面に接触可能な凸部と、を備えるものである。
【０００８】
また、本発明の第２の態様に係る電子機器は、前記電子部品、前記シールド部材および前記電子部品の平面対角位置に対応する位置に、前記開口部および前記凸部が設けられているものである。
【０００９】
また、本発明の第３の態様に係る電子機器は、前記開口は前記電子部品の角部に対応する位置に設けられ、前記凸部は前記電子部品の角部を構成する複数の側面それぞれに接触するよう構成されている。
【００１０】
また、本発明の第４の態様に係る電子機器は、前記シールド部材における互いに隣り合う前記内面同士を分断するスリットが設けられているものである。
【００１１】
さらに、本発明の第５の態様に係る電子機器は、前記開口は前記電子部品の角部に対応する位置に設けられ、前記スリットは、前記開口と連続するものである。
【００１２】
さらに、本発明の第６の態様に係る本発明の電子機器は、前記シールド部材が、互いに隣り合う前記内面にそれぞれ接続されて前記凹部の外側において前記内面に対して交差するように配置される複数の鍔部を有し、前記各鍔部が互いに干渉しないように切欠部を有するものである。
【発明の効果】
【００１３】
本発明の第１の態様に係る電子機器によれば、電子部品は、電子部品を覆うシールド部材を介してホルダの凹部に収容される。このとき、シールド部材において凹部の内面に対応する位置に設けられた開口から、凹部の内面に設けられた凸部がシールド部材の内部に突出して電子部品に接触するので、電子部品はホルダにより直接位置決めされ、電子部品を確実にシールドできるとともに、位置決めできる。
【００１４】
また、本発明の第２の態様に係る電子機器によれば、凸部および開口が電子部品の平面対角位置に対応する位置に設けられているので、確実に電子部品の位置決めができる。
【００１５】
また、本発明の第３の態様に係る電子機器によれば、角部に対応する位置に設けた開口を通して電子部品を複数の方向から位置決めすることができるので、開口の数を抑えつつ確実に位置決めを行うことができる。
【００１６】
また、本発明の第４の態様に係る電子機器によれば、シールド部材における互いに隣り合う内面同士がスリットにより分断されているので、シールド部材を凹部に容易に嵌め込むことができる。
【００１７】
さらに、本発明の第５の態様に係る電子機器によれば、電子部品の角部に対応する位置に設けられた開口とスリットとが連続しているので、シールド部材を折り曲げによって容易に形成することができる。
【００１８】
さらに、本発明の第６の態様に係る電子機器によれば、シールド部材において、凹部の外側に配置される複数の鍔部が互いに干渉しないように切欠部を設けたので、鍔部同士の食いつきを防止できる。
【図面の簡単な説明】
【００１９】
【図１】（Ａ）は本発明に係る実施形態のスライド式携帯端末を閉じたときの斜視図であり、（Ｂ）はスライド式携帯端末を開いた時の斜視図
【図２】下筐体を裏返した分解斜視図
【図３】（Ａ）はシールド部材を裏側から見た斜視図であり、（Ｂ）はシールド部材を表側から見た斜視図
【図４】（Ａ）はホルダのカメラ取付開口部を裏側から見た平面図であり、（Ｂ）はシールド部材を取り付けた状態を裏側から見た平面図
【図５】シールド部材をホルダに取り付けた状態を表側から見た斜視図
【図６】シールド部材を介してカメラをホルダのカメラ取付開口部に装着した状態を裏側から見た斜視図
【図７】シールド部材の変形例を示す斜視図
【図８】カメラ取付開口部に設ける凸部の配置の変形例を示す平面図
【図９】従来のカメラ付きの携帯端末を示す分解斜視図
【発明を実施するための形態】
【００２０】
以下、本発明に係る実施形態の電子機器について、図面を用いて説明する。
図１に示すように、本発明に係る実施形態の電子機器であるスライド式携帯端末（以後、「携帯端末」という）１０は、上筐体２０と下筐体（筐体）３０とが、相互にスライド可能に結合されている。
なお、以下の説明において、使用者が後述する表示部２１を見る場合において、表示部２１側（図１において上側）を表側と云い、反対側（図１において下側）を裏側と云うこととする。また、使用者が表示板２１を見る状態において上方となる側を上側（図１中右上側）と云い、下方となる側を下側と云うこととする。
【００２１】
上筐体２０は、表側外表面の上端部から中央下部にかけて前述した表示部２１を有し、表示部２１の下方には複数の機能キー２２１を有する第１操作部２２が設けられている。また、表側外表面の上端部には、スピーカ２３が取り付けられている。
一方、下筐体３０は、表側外表面３０１の下部に複数の入力キー３１１を有する第２操作部３１が設けられており、第２操作部３１の下側にはマイク３２が設けられている。
【００２２】
図２に示すように、下筐体３０は、表側に矩形箱状のカバー３３を有し、裏側にケース３４を有する。なお、図示はしないが、ケース３４の裏側には、化粧カバーが取り付けられて保護および意匠性を高めている。カバー３３は裏側が開口しており、内部には回路基板３５が取り付けられている。
【００２３】
回路基板３５の裏面３５１の上部寄りには、電子部品であるカメラ４０が搭載される。ここでは、カメラ４０は下筐体３０の裏側に露出して撮像する。カメラ４０は全体矩形箱状をしており、側面４０２および裏面４０３の大部分はシールド部材４１により覆われている。シールド部材４１は、カメラ４０から放射される電磁ノイズをシールドするとともにカメラ４０を位置決めして保持する。シールド部材４１は、シールド部材４１が嵌合する凹部である矩形状のカメラ取付開口部３７を有するホルダ３６を介して位置決めされ、カバー３３に取り付けられる。
【００２４】
ケース３４は矩形のフレーム状部材であり、下部には電池を収納する空間を形成するために、電池収納部３４１が開口している。また、上部には、カメラ４０の前方を覆って保護する透明のカメラカバー３４２を有する。カメラカバー３４２は、下筐体３０の裏側に露出する。
【００２５】
図３に示すように、シールド部材４１は、電気的導通性を有する金属製の薄板を折り曲げ加工あるいは絞り加工により形成したものであり、矩形状の天板４２と、天板４２の四辺から略直角に折り曲げられた側壁４３を有する。天板４２の中央部には、カメラ４０のレンズ４０１が露出するための円形の切欠４２１が設けられている。また、隣接する側壁４３、４３間にはスリット４３１が設けられており、各側壁４３は分断されている。
【００２６】
シールド部材４１におけるホルダ３６のカメラ取付開口部３７の内面に対応する位置として、例えばシールド部材４１の天板４２の角部には、開口４４，４５が設けられている。この開口４４，４５は、側壁４３間に設けられたスリット４３１に連続する。また、カメラ取付開口部３７の内面に対応する位置として、例えば側壁４３にも開口４７が設けられている。
【００２７】
シールド部材４１の側壁４３に連続して、カメラ取付開口部３７の外側において側壁４３に交差するように配置される複数の鍔部４６が設けられている。隣接する鍔部４６，４６間には、各鍔部４６が互いに干渉しないように切欠部４６１が形成されている。また、鍔部４６には、適宜、枝状の端子部４６２が設けられており、回路基板３５に接続されてアースされる。
【００２８】
図４（Ａ）に示すように、ホルダ３６のカメラ取付開口部３７の内面３７１には、シールド部材４１の開口４４，４５，４７を介してカメラ４０の側面４０２に接触する凸部３８が設けられている。凸部３８は、少なくともカメラ取付開口部３７の厚み方向の断面における対角位置（平面対角位置）の角部に設けられており、各角部において隣接する内面３７１毎に１個ずつ凸部３８が設けられている。
【００２９】
従って、各角部において、凸部３８は直交するように一対設けられることになり、カメラ４０の角部に直交する２方向から当接する。
なお、開口４４では、２つの凸部３８をカメラ４０の角部に相当する位置に設けることで、１つの開口部３７において２方向からカメラ４０へ凸部３８を当接させている。これにより、開口の数を抑えつつ複数の異なる方向からカメラ４０を位置決めすることができる。
【００３０】
なお、ここでは、さらに、別の角部に一対の凸部３８１，３８１を設けるとともに、内面３７１の中央部にも凸部３８２を設けた。
また、ここでは、凸部３８，３８１，３８２は、カメラ取付開口部３７の裏側の開口面から短く（低く）形成されているが、カメラ取付開口部３７の全高にわたって設けることもできる。この場合に、製作上の観点から、凸部を裏側から表側に向かって低くなるような傾斜を付すこともできる。
【００３１】
図４（Ｂ）および図５に示すように、ホルダ３６のカメラ取付開口部３７にシールド部材４１を嵌合させて取り付けると、シールド部材４１の天板４２の角部の開口４４，４５から凸部３８および凸部３８１が突出するとともに、側壁４３の切欠４５から凸部３８２が突出する。
【００３２】
図６に示すように、カメラ４０をシールド部材４１を介してホルダ３６のカメラ取付開口部３７に装着すると、シールド部材４１の開口４４，４５，４７から突出する凸部３８，３８１，３８２が、カメラ４０の側面４０２に当接してカメラ４０を位置決めして保持する。
【００３３】
次に、図２を参照して、カメラ４０の取り付け手順について説明する。
まず、回路基板３５の裏面３５１の所定位置にカメラ４０を位置決めして接続する。このときの位置決めは厳密なものでなくてよい。
次いで、ホルダ３６のカメラ取付開口部３７にシールド部材４１を嵌合させて取り付け、ホルダ３６をカメラ４０の裏面側から被せて、ホルダ３６をカバー３３の所定位置に位置決めして取り付ける。これにより、カメラ４０の側面４０２がシールド部材４１から突出している凸部３８，３８１，３８２に当接して、厳密に位置決めされる。
【００３４】
以上、説明した本発明に係る実施形態の携帯端末１０によれば、カメラ４０は、カメラ４０を覆うシールド部材４１を介してホルダ３６のカメラ取付開口部３７に収容される。このとき、シールド部材４１においてカメラ取付開口部３７の内面３７１に対応する位置に設けられた開口４４，４５，４７から、カメラ取付開口部３７の内面３７１に設けられた凸部３８，３８１，３８２がシールド部材４１の内部に突出してカメラ４０に接触するので、カメラ４０はホルダ３６により直接位置決めされる。
【００３５】
これにより、カメラ４０を確実にシールドできるとともに、位置決めできる。ここで、位置決めを行う凸部は、開口を貫通してカメラ４０に直接接触するため、シールド部材４１を介して位置決めするよりも高い精度で位置決めを行うことができる。
【００３６】
なお、上述した実施形態では、凸部はカメラ４０に接触することで位置決めを行っているが、これに限られるものではない。各部材には寸法にばらつきがあるので、そのばらつきを吸収するため、凸部とカメラ４０との間に多少の遊びを設けてもよい。すなわち、カメラ４０と凸部とは、組み立て時に、カメラ４０が所望の位置から許容できないほどに外れそうな場合に凸部と接触することによって所望の位置から外れてしまうことが防げる程度に近接していればよく、常に接触している必要はない。
【００３７】
また、凸部３８および開口４４がカメラ取付開口部３７の平面対角位置に設けられているので、確実にカメラ４０の位置決めができる。
【００３８】
また、シールド部材４１における互いに隣り合う側壁４３同士はスリット４３１により分断されているので、スリット４３１の隙間の分、側壁４３を撓ませることができる。従って、シールド部材４１をカメラ取付開口部３７に容易に嵌め込むことができる。
更に、カメラ４０の角部に対応する位置に設けた開口をスリットと連続させることにより、一枚の金属板を折り曲げてシールド部材４１を構成することが容易となる。すなわち、（開口がない場合に）側壁４３同士の間隔が最も狭くなる箇所が、開口として切り欠かれているので、折り曲げの際に、側壁４３同士が干渉して歪んでしまうことを防止することができる。
【００３９】
さらに、シールド部材４１において、カメラ取付開口部３７の外側に配置される複数の鍔部４６が干渉しないように切欠部４６１を設けたので、鍔部４６同士の食いつきを防止できる。
【００４０】
なお、本発明の電子機器は、前述した実施形態に限定されるものでなく、適宜な変形，改良等が可能である。
例えば、前述した実施形態においては、シールド部材４１の隣接する側壁４３間にスリット４３１を設けて分断した場合を例示したが、本発明は、図７に示すように、隣接する側壁４３同士が連続する場合にも適用可能である。
【００４１】
また、前述した実施形態においては、ホルダ３６のカメラ取付開口部３７に設ける凸部３８，３８１，３８２として、３つの角部と内面３７１の中央部に凸部３８，３８１，３８２を設けたが、図８に示すように、４つの角部に，それぞれ一対の凸部３８を設けることもできる。
【００４２】
また、前述した実施形態においては、電子部品としてカメラを例として説明したが、これに限られるものではない。シールドが必要な他の電子部品であってもよい。
また、前述した実施形態においては、カメラ４０のような略矩形状の電子部品を例として説明したが、これに限られるものではない。例えば、断面が略三角形状であったり、他の多角形形状の電子部品であったりしてもよい。
【００４３】
また、前述した実施形態においては、電子機器の例として携帯端末を用いた説明を行ったが、これに限られるものではない。シールドを設ける必要のある電子部品を備える電子機器であれば、どのような機器であっても構わない。例えば、据え置き型のＰＣ等の内蔵カメラ等への適用等が考えられる。
【００４４】
また、前述した実施形態においては、カメラ４０の、ホルダの凹部へ押し込む方向の端にて凸部による位置決めが行われるとしたが、これに限られるものではない。例えば、厚み方向の中央部付近にて位置決めを行ったり、カメラ４０の凹部へ押し込む方向の底部で位置決めが行うなどとしてもよい。すなわち、シールドに開口を設け、その開口を貫通してカメラ４０を位置決めする凸部が備えられるのであれば、開口および凸部の位置は問わない。
【符号の説明】
【００４５】
１０  スライド式携帯端末（電子機器）
３０  下筐体（筐体）
３３  カバー
３４  ケース
３６  ホルダ
３７  カメラ取付開口部（凹部）
３７１  内面
３８，３８１，３８２  凸部
４０  カメラ（電子部品）
４１  シールド部材
４３１  スリット
４４，４５，４７  開口
４６  鍔部
４６１  切欠部
【図１】
2012074510.tif 000003
【図２】
2012074510.tif 000004
【図３】
2012074510.tif 000005
【図４】
2012074510.tif 000006
【図５】
2012074510.tif 000007
【図６】
2012074510.tif 000008
【図７】
2012074510.tif 000009
【図８】
2012074510.tif 000010
【図９】
2012074510.tif 000011